(57)【要約】【課題】　複数個のスポットＩ，Ｇ，Ｅ，Ｍ，Ｆ，Ｈ，Ｊを光ディスク２８に当てて、複数個のトラック４２から同時に記録情報を読取る光ピックアップ装置１０において、各部品の寸法誤差等にもかかわらず、スポットを光ディスク２８のピット面３６において対物レンズ２６の有効範囲４４に収め、かつ各スポットの大きさをバランス化する。【解決手段】　三角プリズム１８は、複数個の光束を第１の軸線２０から、対物レンズ２６のある第２の軸線２２の方へ向け、プリズムホルダ６０に装着される。プリズムホルダ６０及びシャーシ８０は、凹側球面部分７０及び凸側球面部９２の球面嵌合により第１の軸線２０及び第２の軸線２２の交点としての基準点３８の周りに回動自在である。スポットＩ，Ｇ，Ｅ，Ｍ，Ｆ，Ｈ，Ｊが光ディスク２８のピット面３６において対物レンズ２６の有効範囲４４に収まり、かつ各スポット間の大きさがバランス化されるように、三角プリズム１８は、回転位置を調整されて、シャーシ８０に固定されている。【選択図】　図１
2004103242.tif 000002
【特許請求の範囲】
【請求項１】
　第１の軸線の方向から進んで来た複数個の光束を前記第１軸線とは別の第２の軸線の方向へ反射する光反射用光学素子、
　前記第２軸線の方向へ前記光反射用光学素子から進んで来た各光束についてのスポットを記録媒体の各トラックに形成するスポット形成手段、
　前記第１軸線と前記第２軸線との交点を基準点としこの基準点を通る前記第１軸線、第２軸線、及びこの双方に垂直な第３の軸線の周りの回転位置をそれぞれ独立に調整し得るように前記光反射用光学素子を装置のシャーシ上で支持する支持手段、
　前記記録媒体のスポット列が前記スポット形成手段の有効範囲内に収まるように及び／又は複数個のスポットの結像状態がほぼ等しくなるように前記光反射用光学素子の回転位置を調整された後の前記光反射用光学素子を前記シャーシに固定している固定手段、及び
　前記スポット形成手段を通過して来る前記各スポットの反射光を検出する反射光検出手段、を有していることを特徴とする光ピックアップ装置。
【請求項２】
　前記支持手段は球面嵌合部を含むことを特徴とする請求項１に記載の光ピックアップ装置。
【請求項３】
　前記光反射用光学素子は三角プリズムであり、
　前記支持手段は、内側が凹側球面部分となっている弓形部、該弓形部の円弧側から突出た柄部、該柄部に設けられ、該柄部の厚さ方向に貫通したばか穴、前記弓形の周縁部に対し前記凹側球面部分を介して下降した低面となっている低面部、該底面部に固設され、底面部から所定高さに達し、上端に座面を有する座部、及び、該座部の柄部側の辺部より起立している起立部を備え、前記三角プリズムを、該座部及び起立部のなす直角のコーナに突き当てつつ支持するプリズムホルダを備え、
　前記シャーシは、前記三角プリズム、座部、及び起立部の部分をそのシャーシの内側に落とし込み可能とする落とし込み穴、該落とし込み穴近傍のシャーシ外側に設けられ、相互に平行に延び、シャーシ面より隆起している凸条部、前記落とし込み穴の周囲に設けられ、前記凹側球面部分に球面嵌合し得る凸側球面部、該凸側球面部を介してシャーシ面より隆起し、１個の円形平面の一部を形成している隆起平面部分を備え、
　前記光反射用光学素子の回転位置の調整を、前記落とし込み穴に前記三角プリズム、座部、及び起立部の部分を落とし込み、前記柄部を、ねじにより、前記ばか穴を通し、ワッシャを介してシャーシに取り付け、前記弓形部を、前記起立部に係止した板ばねで押圧することにより前記凹側球面部分が前記凸側球面部に嵌合するように仮止めし、前記ねじの締め付け、前記弓形部のシャーシ面方向への押圧、及び前記柄部のシャーシ面に沿った方向への押圧により、それぞれ前記第１〜第３軸線周りについて独立に行うことができるように構成したことを特徴とする請求項１又は２に記載の光ピックアップ装置。
【請求項４】
　前記ばか穴は前記ねじより径が大きいことを特徴とする請求項３に記載の光ピックアップ装置。
【請求項５】
　前記プリズムホルダと前記座部及び起立部とは別体となっており、前記底面部から隆起し、前記座部を上下方向へ案内する相互に平行な１対の回転止め兼案内と、前記底面部と座部間をワッシャを介してねじ止めするねじとを具備することを特徴とする請求項３に記載の光ピックアップ装置。
【発明の詳細な説明】
【技術分野】
【０００１】
　この発明は、光ディスクやカード等の記録媒体のトラックの記録情報を読取るために、トラックに光束のスポットを形成し、その反射光を検出する光ピックアップ装置に係り、詳しくは複数個の各トラックに複数個の光束の各スポットを当てて、複数個のトラックの記録情報を読取る光ピックアップ装置に関するものである。
【背景技術】
【０００２】
　ＣＤプレーヤ等に装備される従来の光ピックアップ装置では、ＣＤの記録情報読み取り用のスポットは１個であり、例えば、光源からの１個の光束が三角プリズムにおいて向きをほぼ直角に変更され、対物レンズを経てＣＤのトラックにスポットを生成し、その反射光をフォトデテクタにより検出している。三角プリズムは、シャーシのストッパ等の所定の位置決め手段によりシャーシにおける予め決められた場所に固定されるようになっている。
【特許文献１】特開平２−８９２３６号公報
【特許文献２】特開平３−１４１０４５号公報
【特許文献３】特開平５−２９０４０５号公報
【特許文献４】特開平７−２３５０６０号公報
【特許文献５】実開平１−９７４１３号公報
【発明の開示】
【発明が解決しようとする課題】
【０００３】
　一方、光束を複数個、例えば７個、生成し、各光束の各スポットを記録媒体の各トラックに生成して、複数個のトラックの記録情報を同時に読取る光ピックアップ装置が提案されている。
【０００４】
　記録読み取り用の複数個のスポットを記録媒体の各対応トラックに形成する場合、全部のスポットからの反射光を的確に検出して、各トラックの記録情報を的確に読取るためには、全部のスポットが記録媒体のトラック面上における対物レンズの所定の有効範囲内に入る必要がある。複数個のスポットを各対応トラックに形成する場合、光ピックアップ装置の各部品の加工誤差及び寸法誤差、並びに組付け誤差により一部のスポットが、記録媒体のトラック面上において対物レンズの有効範囲から外れることがある。また、光学素子の組付け誤差等によって、光束の向きがトラック面に対して傾くと、各スポットの結像状態が不統一になるアンバランスが生じ易い。
【０００５】
　この発明の目的は、上述の問題点を克服した光ピックアップ装置を提供することである。
【課題を解決するための手段】
【０００６】
　この発明の光ピックアップ装置（１０）は次の（ａ）〜（ｅ）を有している。
（ａ）第１の軸線（２０）の方向から進んで来た複数個の光束を第１の軸線（２０）とは別の第２の軸線（２２）の方向へ反射する光反射用光学素子（１８，１２０，１２２，１２４，１２６）
（ｂ）第２の軸線（２２）の方向へ光反射用光学素子（１８，１２０，１２２，１２４，１２６）から進んで来た各光束についてのスポット（Ｍ，Ｅ，Ｆ，Ｇ，Ｈ，Ｉ，Ｊ）を記録媒体（２８）の各トラック（４２）に形成するスポット形成手段（２６）
（ｃ）第１の軸線（２０）と第２の軸線（２２）との交点を基準点（３８）としこの基準点（３８）を通る少なくとも１本の回転軸線の周りに光反射用光学素子（１８，１２０，１２２，１２４，１２６）を回転自在にシャーシ（８０）に支持する支持手段（７０，９２）
（ｄ）記録媒体（２８）のスポット列（Ｉ，Ｇ，Ｅ，Ｍ，Ｆ，Ｈ，Ｊ）がスポット形成手段（２６）の有効範囲内に収まるように及び／又は複数個のスポット（Ｍ，Ｅ，Ｆ，Ｇ，Ｈ，Ｉ，Ｊ）の結像状態がほぼ等しくなるように光反射用光学素子（１８，１２０，１２２，１２４，１２６）の回転位置を調整された後の光反射用光学素子（１８，１２０，１２２，１２４，１２６）をシャーシ（８０）に固定している固定手段（９８，１０２）
（ｅ）スポット形成手段（２６）を通過して来る各スポット（Ｍ，Ｅ，Ｆ，Ｇ，Ｈ，Ｉ，Ｊ）の反射光を検出する反射光検出手段（３４）
【０００７】
　記録媒体（２８）には、ＣＤ等の光ディスク以外に、カード等、光を利用してトラック（４２）上の記録情報を読取る一切の記録媒体（２８）が含まれる。スポット形成手段（２６）には、フレネル素子等、凹面や凸面で形成される通常のレンズ以外の光学素子が含まれる。固定手段（９８，１０２）によるシャーシ（８０）への光反射用光学素子（１８，１２０，１２２，１２４，１２６）の固定は、仮止め及び本固定の２段階のものであってもよい。スポット形成手段（２６）の有効範囲とは、記録媒体（２８）のトラック（４２）の記録情報を的確に読み取ることができるスポットが記録媒体（２８）上において生成される記録媒体（２８）上の範囲である。
【０００８】
　光反射用光学素子（１８，１２０，１２２，１２４，１２６）が回転軸線の周りの回転位置を変化させると、複数個のスポット（Ｍ，Ｅ，Ｆ，Ｇ，Ｈ，Ｉ，Ｊ）は記録媒体（２８）上において移動するか、及び／又は記録媒体（２８）に対する光束の向きが変化して、各スポット（Ｍ，Ｅ，Ｆ，Ｇ，Ｈ，Ｉ，Ｊ）の結像状態が変化するかする。全部のスポット（Ｍ，Ｅ，Ｆ，Ｇ，Ｈ，Ｉ，Ｊ）が、スポット形成手段（２６）の有効範囲内に収まるように、及び／又は記録媒体（２８）の各トラック（４２）における各スポット（Ｍ，Ｅ，Ｆ，Ｇ，Ｈ，Ｉ，Ｊ）の大きさがほぼ等しくなるように、光反射用光学素子（１８，１２０，１２２，１２４，１２６）は、その回転位置が調整され、それから、固定手段（９８，１０２）によりシャーシ（８０）に固定される。これにより、光ピックアップ装置（１０）の各部品の寸法誤差等にもかかわらず、複数個のスポットをスポット形成手段（２６）の有効範囲内に的確に収めるか、及び／又は各スポット（Ｍ，Ｅ，Ｆ，Ｇ，Ｈ，Ｉ，Ｊ）の大きさをほぼ等しくさせるかできる。
【０００９】
　この発明の光ピックアップ装置（１０）によれば、回転軸線は、第１の軸線（２０）及び第２の軸線（２２）の両方に対して直角な回転軸線を含む。
【００１０】
　この発明の光ピックアップ装置（１０）によれば、回転軸線は、第１の軸線（２０）と一致する回転軸線を含む。
【００１１】
　この発明の光ピックアップ装置（１０）によれば、回転軸線は、第２の軸線（２２）と一致する回転軸線を含む。
【００１２】
　光反射用光学素子（１８，１２０，１２２，１２４，１２６）が、第１の軸線（２０）及び第２の軸線（２２）に対して直角な回転軸線、第１の軸線（２０）と一致する回転軸線、及び／又は第２の軸線（２２）と一致する回転軸線の周りの回転位置を変更することにより、複数個のスポット（Ｍ，Ｅ，Ｆ，Ｇ，Ｈ，Ｉ，Ｊ）は記録媒体（２８）上において移動するか、及び／又は記録媒体（２８）に対する各光束の向きが変化して、各スポット（Ｍ，Ｅ，Ｆ，Ｇ，Ｈ，Ｉ，Ｊ）の結像状態が変化するかする。全部のスポット（Ｍ，Ｅ，Ｆ，Ｇ，Ｈ，Ｉ，Ｊ）が、スポット形成手段（２６）の有効範囲内に収まるように、及び／又は記録媒体（２８）の各トラック（４２）における各スポット（Ｍ，Ｅ，Ｆ，Ｇ，Ｈ，Ｉ，Ｊ）の大きさがほぼ等しくなるように、光反射用光学素子（１８，１２０，１２２，１２４，１２６）は、その回転位置が調整され、それから、シャーシ（８０）に固定手段（９８，１０２）により固定される。これにより、光ピックアップ装置（１０）の各部品の寸法誤差等にもかかわらず、複数個のスポットをスポット形成手段（２６）の有効範囲内に的確に収めるか、及び／又は各スポット（Ｍ，Ｅ，Ｆ，Ｇ，Ｈ，Ｉ，Ｊ）の大きさをほぼ等しくさせるかできる。
【００１３】
　この発明の光ピックアップ装置（１０）によれば、支持手段（７０，９２）は球面嵌合部（７０，９２）を含む。
【００１４】
　球面嵌合部（７０，９２）は、光反射用光学素子（１８，１２０，１２２，１２４，１２６）を任意の回転軸線の周りに回転自在とし、光反射用光学素子（１８，１２０，１２２，１２４，１２６）が、第１の軸線（２０）及び第２の軸線（２２）の両方に対して直角な回転軸線、第１の軸線（２０）と一致する回転軸線、並びに第２の軸線（２２）と一致する回転軸線の周りに回転位置を変更することを許容する。光反射用光学素子（１８，１２０，１２２，１２４，１２６）を回転させる各回転軸線に合わせて個々に支持手段（７０，９２）を設けることを回避し、支持手段（７０，９２）の構造を簡単化できる。
【００１５】
　この発明の光ピックアップ装置（１０）は次の（ａ）〜（ｅ）を有している。
（ａ）第１の軸線（２０）の方向から進んで来た複数個の光束を第１の軸線（２０）とは別の第２の軸線（２２）の方向へ反射する光反射用光学素子（１８，１２０，１２２，１２４，１２６）
（ｂ）第２の軸線（２２）の方向へ光反射用光学素子（１８，１２０，１２２，１２４，１２６）から進んで来た各光束についてのスポット（Ｍ，Ｅ，Ｆ，Ｇ，Ｈ，Ｉ，Ｊ）を記録媒体（２８）の各トラック（４２）に形成するスポット形成手段（２６）
（ｃ）第１の軸線（２０）及び／又は第２の軸線（２２）の方向へシャーシ（８０）に対して光反射用光学素子（１８，１２０，１２２，１２４，１２６）を移動自在に支持する支持手段（１１０）
（ｄ）記録媒体（２８）のスポット列（Ｉ，Ｇ，Ｅ，Ｍ，Ｆ，Ｈ，Ｊ）がスポット形成手段（２６）の有効範囲内に収まるように第１の軸線（２０）及び／又は第２の軸線（２２）の方向へ光反射用光学素子（１８，１２０，１２２，１２４，１２６）の位置を調整された後の光反射用光学素子（１８，１２０，１２２，１２４，１２６）をシャーシ（８０）に固定している固定手段（９８，１０２）
（ｅ）スポット形成手段（２６）を通過して来る各スポット（Ｍ，Ｅ，Ｆ，Ｇ，Ｈ，Ｉ，Ｊ）の反射光を検出する反射光検出手段（３４）
を有している。
【００１６】
　光反射用光学素子（１８，１２０，１２２，１２４，１２６）が第１の軸線（２０）及び／又は第２の軸線（２２）の方向へ移動することにより、複数個のスポット（Ｍ，Ｅ，Ｆ，Ｇ，Ｈ，Ｉ，Ｊ）は記録媒体（２８）上において移動する。全部のスポット（Ｍ，Ｅ，Ｆ，Ｇ，Ｈ，Ｉ，Ｊ）が、スポット形成手段（２６）の有効範囲内に形成されるように、光反射用光学素子（１８，１２０，１２２，１２４，１２６）は、第１の軸線（２０）及び／又は第２の軸線（２２）の方向の位置が調整されて、固定手段（９８，１０２）によりシャーシ（８０）に固定される。光ピックアップ装置（１０）の各部品の加工及び寸法誤差、並びに各部品の組付け誤差等にもかかわらず、複数個のスポットをスポット形成手段（２６）の有効範囲内に的確に収めることができる。
【発明の効果】
【００１７】
　本発明によれば、光ピックアップ装置の各部品の寸法誤差等にもかかわらず、複数個のスポットをスポット形成手段の有効範囲内に的確に収めることができる。また、各スポットの大きさをほぼ等しくさせることができる。
【発明を実施するための最良の形態】
【００１８】
　以下、発明の実施の形態について図面を参照して説明する。
　図１０は光ピックアップ装置１０の概略図である。光ピックアップ装置１０において、半導体レーザ１２、回折格子１４、及びビームスプリッタ１６は、中心点を第１の軸線２０上に揃えて、配設される。第１の軸線２０は三角プリズム１８に達し、第２の軸線２２は第１の軸線２０に対して直角に三角プリズム１８から延び出し、例えばＣＤ−ＲＯＭ等の光ディスク２８にほぼ直角に交わっている。コリメータレンズ２４及び対物レンズ２６は、中心点を第２の軸線２２上に配設される。第３の軸線３０は第１の軸線２０に対して直角にビームスプリッタ１６から延び出し、ディテクターレンズ３２及び光検出装置３４は、中心点を第３の軸線３０上に揃えて、配設される。半導体レーザ１２から出射された１個の光束は、回折格子１４の通過に伴い、第１の軸線２０に対して直角方向へほぼ１列の計７個の光束に分解する。７個の内の真ん中の光束はほぼ第１の軸線２０上に位置する。これら７個の光束は、第１の軸線２０の方向へ進み、ビームスプリッタ１６を通過し、三角プリズム１８へ向かう。そして、三角プリズム１８において反射し、コリメータレンズ２４及び対物レンズ２６を順番に通過し、光ディスク２８にスポット（Ｍ，Ｅ，Ｆ，Ｇ，Ｈ，Ｉ，Ｊ）として照射される。各スポット（Ｍ，Ｅ，Ｆ，Ｇ，Ｈ，Ｉ，Ｊ）の反射光は、対物レンズ２６、コリメータレンズ２４、三角プリズム１８を逆進し、ビームスプリッタ１６においてほぼ直角にディテクターレンズ３２の方へ向きを変更し、ディテクターレンズ３２を経て、光検出装置３４に達する。
【００１９】
　図１は三角プリズム１８から光ディスク２８までの範囲の詳細図である。３６は光ディスク２８のピット面であり、７本の光束は、ピット面３６においてスポットＭを中心にＭに近い方から一方の側ではスポットＥ，Ｇ，Ｉ及び他方の側ではスポットＦ，Ｈ，Ｊを形成する。これらスポットＩ，Ｇ，Ｅ，Ｍ，Ｆ，Ｈ，Ｊの反射光が光検出装置３４（図１０）へ送られて、複数のトラック４２の記録情報が同時に読み取られるようになっている。基準点３８は、光束全体の中心線としての第１の軸線２０及び第２の軸線２２の交点となっており、光は三角プリズム１８の反斜面４０において反射する。４１は、反斜面４０において光束全体を内に含む円範囲である。Ｄ１，Ｄ２はそれぞれ第１の軸線２０及び第２の軸線２２に平行な方向への三角プリズム１８の移動方向を示している。Ｄ１，Ｄ２の＋，−方向への移動により、反斜面４０は、図１の二点鎖線で示されるように、上昇及び下降する。Ｒ１は、第１の軸線２０及び第２の軸線２２の両方に対して直角でかつ基準点３８を通る回転軸線の周りの三角プリズム１８の回転方向を示している。
【００２０】
　図２は三角プリズム１８を図１の右方から見た図である。Ｒ２は、第１の軸線２０と一致する回転軸線の周りの三角プリズム１８の回転方向を示している。
【００２１】
　図３は三角プリズム１８を図１の下方から見た図である。Ｒ３は、第２の軸線２２と一致する回転軸線の周りの三角プリズム１８の回転方向を示している。
【００２２】
　図４は三角プリズム１８の斜視図である。三角プリズム１８は、直角二等辺三角形を底面とする柱体であり、反斜面４０は、三角プリズム１８の底面の斜辺部を辺として含む側面である。
【００２３】
　図５は図１の上方からピット面３６における各スポットＩ，Ｇ，Ｅ，Ｍ，Ｆ，Ｈ，Ｊの位置を示している。ｘ及びｙは、スポットＭを原点とし、ピット面３６におけるトラック４２の接線（ｔａｎｇｅｎｔｉａｌ）方向、ｙは放射（ｒａｄｉａｌ）方向（光ディスク２８の中心の方を＋）を示している。トラック４２はｙ方向へ等間隔で存在する。スポットＩ，Ｇ，Ｅ，Ｍ，Ｆ，Ｈ，Ｊは、ｘ方向に対して斜めに傾斜し、スポットＩ，Ｇ，Ｅ，Ｍ，Ｆ，Ｈ，Ｊが内側のトラック４２から順番に当てられる。
【００２４】
　図６は光ディスク２８のピット面３６への各光束の収束状態を示している。４６は、対物レンズ２６（図１）の主点を中心として対物レンズ２６の焦点距離を半径とする円である。ピット面３６と第２の軸線２２との交点において円４６がピット面３６に接するように、フォーカスサーボ制御が行われる。ピット面３６から円４６までの距離は、スポットＩ，Ｇ，Ｅ，Ｍ，Ｆ，Ｈ，Ｊの列方向に関して等しくなく、変化する。
【００２５】
　図７は光検出装置３４の詳細図である。フォトデテクタ５０Ｉ，５０Ｇ，５０Ｅ，５０Ｍ，５０Ｆ，５０Ｈ，５０Ｊは、ピット面３６（図５）上のスポットＩ，Ｇ，Ｅ，Ｍ，Ｆ，Ｈ，Ｊに対応し、各スポットＩ，Ｇ，Ｅ，Ｍ，Ｆ，Ｈ，Ｊの反射光を、図１０のように、対物レンズ２６、コリメータレンズ２４、第２の軸線２２、ビームスプリッタ１６、及びディテクターレンズ３２の経路を通って、受けるようになっている。
【００２６】
　図８は図７のフォトデテクタ５０Ｍの詳細図である。この光ピックアップ装置１０は、トラックサーボは周知の３ビーム法又はＤＰＤ法（ヘテロダイン法）により行い、フォーカスサーボは周知のナイフエッジ法又は非点収差法により行うようになっている。このため、フォトデテクタ５０Ｍは、４個のフォトデテクタ５０Ａ，５０Ｂ，５０Ｃ，５０Ｄに分割されている。
【００２７】
　図９は各スポットＩ，Ｇ，Ｅ，Ｍ，Ｆ，Ｈ，Ｊの結像状態を示している。図６において説明したように、ピット面３６から円４６までの距離は、スポット列方向に関して、等しくなく、変化する。第２の軸線２２がピット面３６に対してほぼ直角となっている場合、スポット列Ｉ，Ｇ，Ｅ，Ｍ，Ｆ，Ｈ，Ｊの両端のスポットＩ，Ｊと円４６との間の距離はほぼ等しく、各スポットＩ，Ｇ，Ｅ，Ｍ，Ｆ，Ｈ，Ｊの大きさは、図９（ｂ）のように、ほぼ等しく、すなわちスポットＩ，Ｇ，Ｅ，Ｍ，Ｆ，Ｈ，Ｊ間の結像状態はバランスが取れている。これに対して、第２の軸線２２がピット面３６に対して傾斜すると、スポット列Ｉ，Ｇ，Ｅ，Ｍ，Ｆ，Ｈ，Ｊの両端のスポットＩ，Ｊと円４６との間の距離に差が生じ、各スポットＩ，Ｇ，Ｅ，Ｍ，Ｆ，Ｈ，Ｊの大きさは、図９（ａ）又は（ｃ）のように、差異が生じ、すなわちスポットＩ，Ｇ，Ｅ，Ｍ，Ｆ，Ｈ，Ｊ間の結像状態にアンバランスが生じる。
【００２８】
　三角プリズム１８の変位とピット面３６におけるスポット列の移動方向との関係は次のとおりである。Ｄ１方向の＋，−はｘ方向の＋，−に対応し、Ｄ２方向の＋，−はｘ方向の＋，−に対応する。Ｒ１方向の＋，−はｘ方向の−，＋に対応する。Ｒ２方向の＋，−は、ｙ方向の−，＋に対応し、スポットＩ，Ｇ，Ｅ，Ｍ，Ｆ，Ｈ，Ｊ間の結像状態のバランス調整用に使用される。Ｒ３方向の＋，−は、＋−０をｘｙ座標面の原点とし、ｘｙ座標面の原点からそれぞれｙ＝−ｘ及びｙ＝ｘの直線に沿って遠ざかる方向に対応する。こうして、三角プリズム１８をＤ１及び／又はＤ２へ移動させることにより、スポットＩ，Ｇ，Ｅ，Ｍ，Ｆ，Ｈ，Ｊを有効範囲４４（＝記録情報を的確に読み取ることができるスポットがピット面３６上において生成されるピット面３６上の範囲）内に収めることができる。また、三角プリズム１８をＲ１，Ｒ２，及び／又はＲ３方向へ移動させることにより、スポットＩ，Ｇ，Ｅ，Ｍ，Ｆ，Ｈ，Ｊを正しく有効範囲４４内に収めることができるとともに、図９（ｂ）に示されるように、各スポットＩ，Ｇ，Ｅ，Ｍ，Ｆ，Ｈ，Ｊの大きさをほぼ等しく、すなわち各スポットＩ，Ｇ，Ｅ，Ｍ，Ｆ，Ｈ，Ｊの結像状態をバランスさせることができる。
【００２９】
　図１１はプリズムホルダ６０の斜視図である。プリズムホルダ６０は、弓形６２、及び弓形６２の円弧側から突出する柄部６４を備えている。ばか穴６６は柄部６４を厚さ方向へ貫通している。低面部６８は、弓形６２の周縁部に対し凹側球面部分７０を介して下降した低面になっている。座部７２は、低面部６８に固設され、低面部６８から所定高さに達し、上端に座面を備える。起立部７４は、座部７２の柄部６４側の辺部より起立している。三角プリズム１８は、直角のコーナ部を、座部７２及び起立部７４のなす直角のコーナ部に突き当ててつつ、座部７２の座面に載置される。三角プリズム１８の底面間の距離は座部７２の座面の幅よりも少し大きく、三角プリズム１８は座部７２の幅方向へ座部７２より少しはみ出ている。座部７２の座面からの三角プリズム１８のはみ出し部と座部７２の起立側面部とのなす直角コーナ部に接着滴が落とされて、乾燥後は、この接着剤により三角プリズム１８は座部７２の座面に固定される。これにより、接着による座部７２への三角プリズム１８の固定にもかかわらず、三角プリズム１８が接着剤の厚みだけ高くなるのが防止される。凹側球面部分７０の球の中心は、三角プリズム１８の反斜面４０上に位置する。
【００３０】
　図１２はプリズムホルダ６０の組付け前のシャーシ８０を外面側から見た図である。対物レンズ２６等の光学素子は、シャーシ８０への組付け後の状態では、シャーシ８０の内面側、すなわち図面の紙面では裏側に存在する。突条部８４，８６は、相互に平行に延び、平面部８２より隆起している。落とし込み穴８８は、平面部８２に形成され、図１１の三角プリズム１８付きプリズムホルダ６０の三角プリズム１８、座部７２、及び起立部７４の部位をシャーシ８０の内面側へ落とし込み可能になっている。隆起平面部分９０は、凸側球面部９２を介して平面部８２より隆起し、平面部８２より高く突条部８４よりは十分に低くなっている。隆起平面部分９０は１個の円形平面の部分となっており、凸側球面部９２は、図１１の凹側球面部分７０と同一の半径の１個の球面の部分であり、凹側球面部分７０と球面嵌合自在である。ねじ孔９４は、プリズムホルダ６０のばか穴６６（図１１）に対応して位置し、凸側球面部９２から離れた部位に設けられている。
【００３１】
　図１３はプリズムホルダ６０の組付け後のシャーシ８０を外面側から見た図である。プリズムホルダ６０を図１１の状態から裏返して、三角プリズム１８、座部７２、及び起立部７４の部位を図１２の落とし込み穴８８へ落とし込み、ねじ９８及び板ばね１０２によりプリズムホルダ６０をシャーシ８０に仮止めする。板ばね１０２は、突条部８４，８６の外側の縁部にスナップ式に両端を着脱自在に係止し、中央部にはプリズムホルダ６０側に突出する凸部１０４を備え、凸部１０４を弓形６２の面に当てて、プリズムホルダ６０をシャーシ８０へ所定の力で押圧している。
【００３２】
　図１４はねじ９８によるプリズムホルダ６０の仮止め状態の断面図である。ばか穴６６は、ねじ９８の軸部の径より大きい径を有し、ワッシャ１００はプリズムホルダ６０の柄部６４とシャーシ８０との間に介在する。ねじ９８は、頭部において柄部６４の面に当接し、軸部を、ばか穴６６及びワッシャ１００に挿通して、ねじ孔９４に螺合している。プリズムホルダ６０は、ねじ９８の軸部の径とばか穴６６の径との差分だけねじ９８の軸部の径方向へシャーシ８０に対して相対変位自在である。
【００３３】
　図１３に戻って、三角プリズム１８のＲ１（図１），Ｒ２（図２），Ｒ３（図３）の揺動とシャーシ８０の外面側におけるプリズムホルダ６０の操作との関係を説明する。ねじ９８の締め付け量の調整により、ワッシャ１００（図１４）の圧縮量が変化して、ねじ９８の部位における柄部６４とシャーシ８０との距離が変化する。これにより、プリズムホルダ６０の凹側球面部分７０は、Ｒ１方向へシャーシ８０の凸側球面部９２に対して摺動する。なお、シャーシ８０へのプリズムホルダ６０の組付け状態では、凹側球面部分７０及び凸側球面部９２の球面の中心は基準点３８（図１）である。ｆ２，ｆ２は、弓形６２においてプリズムホルダ６０の中心線に対して両側に位置し、一方のｆ２を平面部８２の方へ（図面の紙面では表から裏の向き）押圧することにより、その一方のｆ２の部位は平面部８２の方へ沈み込み、他方のｆ２は平面部８２から浮き上がり、結果、プリズムホルダ６０の凹側球面部分７０は、Ｒ２方向へシャーシ８０の凸側球面部９２に対して摺動する。ｆ３，ｆ３は、柄部６４においてプリズムホルダ６０の中心線に対して両側に位置し、一方のｆ３をプリズムホルダ６０の中心線の方へ押圧することにより、その一方のｆ３の部位はプリズムホルダ６０の中心線の方へ接近し、他方のｆ３はプリズムホルダ６０の中心線から離れ、結果、プリズムホルダ６０の凹側球面部分７０は、Ｒ３方向へシャーシ８０の凸側球面部９２に対して摺動する。なお、プリズムホルダ６０の凹側球面部分７０とシャーシ８０の凸側球面部９２とには、板ばね１０２の凸部１０４によるプリズムホルダ６０のシャーシ８０の方への押込み力により、所定の係合力が維持されており、ｆ３の操作による凹側球面部分７０及び凸側球面部９２の相対回転位置は、変更のための操作力解除後も、係合力により変更後の位置に保持される。
【００３４】
　光ピックアップ装置１０の製造工程では、ＣＣＤが、ピット面３６に相当する位置に光ディスク２８の代わりに設けられ、図５に相当する画面が所定のディスプレーに映し出される。製造作業では、その撮影画面を見ながら、全スポットＩ，Ｇ，Ｅ，Ｍ，Ｆ，Ｈ，Ｊが、図５のように、有効範囲４４内に収まり、かつ各スポットＩ，Ｇ，Ｅ，Ｍ，Ｆ，Ｈ，Ｊの大きさが、図９（ｂ）に示されるように、ほぼ均等になるように、ねじ９８の締め付け量の調整、ｆ２及びｆ３の押込み操作により、Ｒ１，Ｒ２，Ｒ３方向の三角プリズム１８の回転位置を変更する。これはシャーシ８０へのプリズムホルダ６０の借止めになる。そして、借止め後の適当な時期に、接着剤をプリズムホルダ６０とシャーシ８０との間の所定個所に滴下し、プリズムホルダ６０及びシャーシ８０を相互に本固定する。本固定後は、ねじ９８及び板ばね１０２の取外しも可能である。
【００３５】
　図１５は別のプリズムホルダ６０の構造図である。１対の回転止め兼案内１１０が、相互に平行になって低面部６８から起立している。座部７２及び起立部７４は、弓形６２の本体部とは別体とされ、上面視がほぼ正方形輪郭の座部７２は、両側を回転止め兼案内１１０の間に嵌挿され、回転止め兼案内１１０により上下方向へ案内される。ワッシャ１１２は低面部６８と座部７２との間に介在し、ねじ１１４は、弓形６２の底壁の挿通孔１１６及びワッシャ１１２の挿通孔を貫通してから、座部７２内のねじ孔１１８に螺合する。ねじ孔１１８へのねじ１１４の螺合量に応じて、ワッシャ１１２の圧縮量が増減し、座部７２の高さが変化し、すなわち、三角プリズム１８は図１のＤ２方向へ移動する。製造作業では、ＣＣＤにおけるピット面３６におけるスポットＩ，Ｇ，Ｅ，Ｍ，Ｆ，Ｈ，Ｊの撮影画面を見ながら、全スポットＩ，Ｇ，Ｅ，Ｍ，Ｆ，Ｈ，Ｊが、図５のように、有効範囲４４内に収まるように、三角プリズム１８のＤ２方向位置を変更する。
【００３６】
　図１１〜図１３のプリズムホルダ６０及びシャーシ８０では、三角プリズム１８のＤ１方向位置の調整が行われるので、Ｄ２方向位置の調整は行われない。もしＤ１方向位置の調整を可能にするならば、座部７２及び起立部７４の部分を、図１５のように、プリズムホルダ６０とは別体とするとともに、シャーシ８０の内面側の起立部近傍の所定部位にＤ１方向へ移動自在にシャーシ８０に配置し、ねじを、前述の起立部の挿通孔及びワッシャの挿通孔にＤ１方向へ挿通してから、座部７２の側部のねじ孔に螺合する。ねじの回転操作により、座部７２の側部のねじ孔へのねじの螺合量が変化して（座部７２は所定の回転止めによりこのねじの回転に対して回転しないように保持されている。）、三角プリズム１８のＤ１方向位置が変化する。
【００３７】
　図１６〜図１９は三角プリズム１８の代わりに使用される他の光反射用光学素子を示している。図１６の内面反射型三角プリズム１２０は、光束は、内面反射型三角プリズム１２０内へ入り、内面反射型三角プリズム１２０内の反斜面４０において反射する。半球ミラー１２２（図１７）及び円板ミラー１２４（図１８）は円形の反斜面４０をもち、ミラー体１２６（図１９）では、反斜面４０を備えるミラー１２８が平板ホルダ１３０に嵌め込まれている。
【図面の簡単な説明】
【００３８】
【図１】三角プリズムから光ディスクまでの範囲の詳細図である。
【図２】三角プリズムを図１の右方から見た図である。
【図３】三角プリズムを図１の下方から見た図である。
【図４】三角プリズムの斜視図である。
【図５】図１の上方からピット面における各スポットＩ，Ｇ，Ｅ，Ｍ，Ｆ，Ｈ，Ｊの位置を示す図である。
【図６】光ディスクのピット面への各光束の収束状態を示す図である。
【図７】光検出装置の詳細図である。
【図８】図７のフォトデテクタの詳細図である。
【図９】各スポットの結像状態を示す図である。
【図１０】光ピックアップ装置の概略図である。
【図１１】プリズムホルダの斜視図である。
【図１２】プリズムホルダの組付け前のシャーシを外面側から見た図である。
【図１３】プリズムホルダの組付け後のシャーシを外面側から見た図である。
【図１４】ねじによるプリズムホルダの仮止め状態の断面図である。
【図１５】別のプリズムホルダの構造図である。
【図１６】三角プリズムの代わりに使用される第１の他の光反射用光学素子を示す図である。
【図１７】三角プリズムの代わりに使用される第２の他の光反射用光学素子を示す図である。
【図１８】三角プリズムの代わりに使用される第３の他の光反射用光学素子を示す図である。
【図１９】三角プリズムの代わりに使用される第４の他の光反射用光学素子を示す図である。
【符号の説明】
【００３９】
１０　光ピックアップ装置
１８　三角プリズム（光反射用光学素子）
２０　第１の軸線
２２　第２の軸線
２６　対物レンズ（スポット形成手段）
２８　光ディスク（記録媒体）
３４　光検出装置（反射光検出手段）
３８　基準点
４２　トラック
６０　プリズムホルダ（ホルダ）
７０　凹側球面部分（球面嵌合部）
７０　凹側球面部分（支持手段）
８０　シャーシ
９２　凸側球面部（球面嵌合部）
９２　凸側球面部（支持手段）
９８　ねじ（固定手段）
１０２　板ばね（固定手段）
１１０　回転止め兼案内（支持手段）
１２０　内面反射型三角プリズム（光反射用光学素子）
１２２　半球ミラー（光反射用光学素子）
１２４　円板ミラー（光反射用光学素子）
１２６　ミラー体（光反射用光学素子）
Ｉ，Ｇ，Ｅ，Ｍ，Ｆ，Ｈ，Ｊ　スポット
【図１】
2004103242.tif 000003
【図２】
2004103242.tif 000004
【図３】
2004103242.tif 000005
【図４】
2004103242.tif 000006
【図５】
2004103242.tif 000007
【図６】
2004103242.tif 000008
【図７】
2004103242.tif 000009
【図８】
2004103242.tif 000010
【図９】
2004103242.tif 000011
【図１０】
2004103242.tif 000012
【図１１】
2004103242.tif 000013
【図１２】
2004103242.tif 000014
【図１３】
2004103242.tif 000015
【図１４】
2004103242.tif 000016
【図１５】
2004103242.tif 000017
【図１６】
2004103242.tif 000018
【図１７】
2004103242.tif 000019
【図１８】
2004103242.tif 000020
【図１９】
2004103242.tif 000021